(57)【要約】【課題】本発明の目的は、Ｘ線断層撮影装置において、関心条件が所望の値となるような撮影条件の設定を支援することにある。【解決手段】本発明は、被検体に対するＸ線管球３とＸ線検出器１１との相対位置が異なる複数のＸ線画像を複数の撮影条件に従って撮影し、撮影した複数のＸ線画像から断層画像又は立体画像を算出するディジタルＸ線断層撮影装置において、複数の撮影条件の中の少なくとも一つの撮影条件に対する関心条件の相関性を表すとともに、撮影条件に関する複数の選択肢が示されたグラフを作成する撮影条件設定支援部２４と、グラフを表示する表示部２２と、選択肢を選択操作するための操作部２３とを具備する。【選択図】      図１
2006043144.tif 000002
【特許請求の範囲】
【請求項１】
被検体に対するＸ線管球とＸ線検出器との相対位置が異なる複数のＸ線画像を複数の撮影条件に従って撮影し、前記撮影した複数のＸ線画像から断層画像又は立体画像を算出するディジタルＸ線断層撮影装置において、
前記複数の撮影条件の中の少なくとも一つの撮影条件に対する関心条件の相関性を表すとともに、前記撮影条件に関する複数の選択肢が示されたグラフを作成するグラフ作成手段と、
前記グラフを表示する手段と、
前記選択肢を選択操作するための操作手段とを具備することを特徴とするディジタルＸ線断層撮影装置。
【請求項２】
前記グラフは、前記撮影条件としてのＸ線パルス幅と撮影枚数との変化に対する前記関心条件としての総曝射時間と撮影所要時間との変化を表すことを特徴とする請求項１記載のディジタルＸ線断層撮影装置。
【請求項３】
前記グラフは、前記撮影条件としての管電圧と管電流との変化に対する前記関心条件としての照射線量の変化を表すことを特徴とする請求項１記載のディジタルＸ線断層撮影装置。
【請求項４】
前記グラフ作成手段は、予め選択または設定された特定の関心条件の値に従って前記グラフを作成することを特徴とする請求項１記載のディジタルＸ線断層撮影装置。
【請求項５】
前記特定の関心条件は、Ｘ線パルス幅の時間内に前記Ｘ線管球が回転する回転角度に対応する相対ズレ量であることを特徴とする請求項４記載のディジタルＸ線断層撮影装置。
【請求項６】
前記グラフ作成手段は、予め選択または設定された特定の撮影条件の値に従って前記グラフを作成することを特徴とする請求項１記載のディジタルＸ線断層撮影装置。
【請求項７】
前記特定の関心条件は、撮影枚数であることを特徴とする請求項６記載のディジタルＸ線断層撮影装置。
【請求項８】
前記グラフ作成手段は、前記グラフに特定の基準照射線量に対応するラインを付加することを特徴とする請求項１記載のディジタルＸ線断層撮影装置。
【請求項９】
前記基準照射線量をテスト用Ｘ線画像と基準入射線量に基づいて算出する手段をさらに備えることを特徴とする請求項８記載のディジタルＸ線断層撮影装置。
【発明の詳細な説明】
【技術分野】
【０００１】
本発明は、多方向から撮影したディジタルＸ線画像から断層画像又は立体画像を結像（合成）するディジタルＸ線断層撮影装置に関する。
【背景技術】
【０００２】
デジタルＸ線撮影を実施する際には、管電圧、管電流、フレームレート、撮影枚数、パルス幅、Ｘ線フィルタの種類など多数の撮影条件を設定する必要がある。一方、撮影を実施する操作者にとっては、撮影所要時間、照射線量、画質（立体画像のコントラスト、アーチファクト、解像度、画像ノイズ）等の関心条件がどのようになるかが重要である。これら撮影所要時間、照射線量、画質等の関心条件がそれぞれ所望の値（質）になるように撮影条件を設定する必要がある。
【０００３】
撮影所要時間、照射線量、画質等の関心条件各々は、単一の撮影条件で決まるのではなく、複数の撮影条件の相互影響のもとで決まる。そのため、撮影所要時間、照射線量、画質等の関心条件がそれぞれ所望値となるように複数の撮影条件を最適化することは困難である。
【特許文献１】特開平１０−２９５６８０号広報
【発明の開示】
【発明が解決しようとする課題】
【０００４】
本発明の目的は、Ｘ線断層撮影装置において、関心条件が所望の値となるような撮影条件の設定を支援することにある。
【課題を解決するための手段】
【０００５】
本発明は、被検体に対するＸ線管球とＸ線検出器との相対位置が異なる複数のＸ線画像を複数の撮影条件に従って撮影し、前記撮影した複数のＸ線画像から断層画像又は立体画像を算出するディジタルＸ線断層撮影装置において、前記複数の撮影条件の中の少なくとも一つの撮影条件に対する関心条件の相関性を表すとともに、前記撮影条件に関する複数の選択肢が示されたグラフを作成するグラフ作成手段と、前記グラフを表示する手段と、前記選択肢を選択操作するための操作手段とを具備する。
【発明の効果】
【０００６】
本発明によれば、関心条件が所望の値となるような撮影条件の設定を支援することができる。
【発明を実施するための最良の形態】
【０００７】
以下、図面を参照して本発明の実施形態を説明する。  
図１に示すように、本実施形態に係るディジタルＸ線断層撮影装置は、Ｘ線管装置１とＸ線検出器装置１０とを有する。Ｘ線管装置１、Ｘ線検出器装置１０は、互いに機械的に分離されそれぞれ別体として構成されている。撮影に際しては、Ｘ線管装置１とＸ線検出器装置１０とは、定位装置８で固定された被検体Ｐを一対の位置決め用マーカパネル６とともに載置する寝台７を挟んで、それぞれの撮影中心線（回転中心軸）が一致する位置、高さ及び向きで設置される。マーカパネル６は、比較的Ｘ線吸収率の低い例えば透明なアクリル樹脂製のパネルベースに高いＸ線吸収率を有する例えば鉛製の球形または円柱形のＸ線マーカが縦横に一定の中心点間距離で正確に配列されてなる。
【０００８】
Ｘ線管装置１は、内部にＸ線管を収容した筐体２と、筐体２を支持するキャスタの付いたスタンド５とを有する。Ｘ線管装置１の筐体２の内部にはＸ線管３が収容される。Ｘ線管３は、高電圧発生器１５から高電圧（管電圧）の印加及びフィラメント電流の供給を受けてＸ線を発生する。Ｘ線管支持機構４は、Ｘ線管３を撮影中心線（回転中心軸）ＲＣＴの回りを回転するように支持するとともに、回転制御部１６の制御のもとでＸ線管３を回転駆動する。
【０００９】
Ｘ線検出器装置１０は、内部にＸ線検出器１１を収容した筐体１３と、筐体１３を支持するキャスタの付いたスタンド１４とを有する。Ｘ線検出器装置１０の筐体１３の内部にはＸ線検出器１１が収容される。Ｘ線検出器支持機構１２は、Ｘ線検出器１１を撮影中心線ＲＣＤの回りを回転するように支持するとともに、回転制御部１７の制御のもとでＸ線検出器１１を回転駆動する。Ｘ線検出器１１には、典型的には、２次元状に配列された複数の固体検出素子を有するフラットパネルデテクタが採用される。複数の検出素子でＸ線入射に伴って発生した信号電荷はデータ収集部１８を経由してディジタル信号として読み出され、記憶部１９に記憶される。
【００１０】
システム制御部２０は、ディジタルＸ線断層撮影装置全体の動作制御を担っており、上記高電圧発生器１５、データ収集部１８、回転制御部１６，１７とともに、記憶部１９、結像処理部２１、表示部２２、マウスやキーボード等の操作部２３、撮影条件設定支援部２４にデータ／制御バス２８を介して接続されている。
【００１１】
結像処理部２１は、Ｘ線画像に映りこんでいるマーカ像の位置関係に基づいて、当該Ｘ線画像の撮影時のＸ線管３の位置及びＸ線検出器１１の位置を求めるとともに、撮影方向の相違する複数のＸ線画像から断層画像または立体画像（多段面の断層画像）を結像する。撮影条件設定支援部２４は、複数の撮影条件の中の少なくとも一つの撮影条件に対する関心条件の相関性を表すとともに、設計上規定されている装置固有の撮影条件に関する複数の選択肢が示されたグラフを作成する機能を有している。
【００１２】
撮影条件としては、  
・Ｘ線のパルス幅  
・１秒あたりの撮影枚数を表すフレームレート  
・撮影枚数  
・管電圧  
・管電流  
・Ｘ線フィルタ種類  
が例示される。
【００１３】
また、関心条件としては、  
・パルス幅の期間内にＸ線管３（またはＸ線検出器１１）が回転する角度γ°を３６０°で規格化した相対ブレ量（γ／３６０（％））  
・相対ブレ量に対応する解像度  
・複数のＸ線画像から結像された断層画像または立体画像のアーチファクトの程度。結像に使用するＸ線画像の枚数（＝撮影枚数）により左右される。  
・照射線量に反比例するＸ線画像の画像ノイズ  
・複数のＸ線画像の撮影に要する撮影所要時間  
・Ｘ線パルス幅に撮影枚数を乗じた値に決まる総曝射時間  
・照射線量（２ｍｍ厚のアルミ製フィルタを使用したときの５０ｃｍ離れた位置での線量（ｍＲ））  
が例示される。
【００１４】
グラフにより撮影条件と関心条件との相関が直感的に理解され得るので、関心条件の変動を鑑みながら関心条件が所望の値または状態になるように撮影条件を調整することができる。グラフとしては、Ｘ線パルス幅と撮影枚数との変化に対する総曝射時間と撮影所要時間との変化を表すグラフや、管電圧と管電流との変化に対する照射線量の変化を表すグラフが例示される。以下に撮影条件設定支援部２４による撮影条件設定支援処理について説明する。
【００１５】
説明の便宜上、当該ディジタルＸ線断層撮影装置としては次の装置固有の選択肢が与えられていると仮定する。  
管電圧：５０，８０，１１０（ｋＶ）  
管電流：１，２，４，８，１６（ｍＡ）  
Ｘ線フィルタの種類：１，２，３（ｍｍのアルミ相当）  
撮影枚数：１６０，８０，４０，２０（枚／１回転）  
フレームレート：７.２，３.６，１.８，０.９，０.４５（ｆｐｓ(frame per second)）  
パルス幅：１０，２０，４０（ｍｓ）
まず、これら撮影条件のうち、撮影枚数Ｎ、フレームレートＦ、パルス幅Ｗの設定方法について説明する。本方法では、これらに深く関係する関心条件として撮影所要時間、総曝射時間、解像度がある。総曝射時間Ｔｅ（＝Ｎ×Ｗ）は照射線量と画像ノイズに深く関係する関心条件である。総曝射時間が大きければ照射線量が大きくなり、画像ノイズは相対的に小さくなる。中間変数として総照射時間を導入することにより相互の影響を容易に考察できるようになる。
【００１６】
結像した立体画像の解像度を反映する関心条件として「相対ブレ量」Ｂを導入する。相対ブレ量Ｂは、撮影枚数Ｎ、フレームレートＦ、パルス幅Ｗに対して次の関係を有している。  
Ｂ＝Ｗ×Ｆ／Ｎ
相対ブレ量が大きいと結像画像にボケが混入し、解像度が悪くなる傾向にあるが、相対ブレ量を過度に小さくしても、これ以外の要因によるボケが存在するため解像度が無限によくなるわけではない。したがって、相対ブレ量には装置によって決まった最適範囲が存在する。
【００１７】
図２に、撮影条件設定支援部２４により作成される撮影条件の設定画面を示している。この例では、画面左上の上下操作ボタン３１を操作して操作者は相対ブレ量を指定することができる。グラフ３２の上の相対ブレ量を例えば０.１％という表示は相対ブレ量が０.００１であることを示している。この数値を違う値に変更することで相対ブレ量を任意に変更することができる。相対ブレ量が更新されると、その値が装置により決まっている最適範囲に存在するかを判定し、最適範囲に存在すれば、画面右下欄の関心条件一覧の「解像度」の欄に「良好」と表示される。もし最適範囲を下回る値が選択された場合は「過剰」、上回る範囲が選択された場合は「やや不良」と表示される。最適範囲の上限値を大きく（たとえば５倍）上回るときは「不良」と表示される。
【００１８】
相対ブレ量が設定されると、撮影枚数とパルス幅それぞれの選択肢にしたがって画面左上欄のグラフ３２が作成される。このグラフ３２には、装置固有の選択可能なパルス幅および撮影枚数の選択肢が「○」印でプロットされる。グラフ３２は、パルス幅と撮影枚数との組み合わせに対する関心条件としての総曝射時間と撮影所要時間の相関を表している。つまりグラフには撮影枚数とパルス幅の値が表示されており、選択した○印の撮影枚数とパルス幅がわかるようになっている。○印を選択すると○は●印に変化し、選択された値がわかるようになっている。指定された相対ブレ量を、選択されたパルス幅と撮影枚数のもとで実現するためのフレームレートＦが次式で算出される。  
Ｆ＝Ｂ×Ｎ／Ｗ
例えば、相対ブレ量０.００１、撮影枚数８０枚、パルス幅２０ｍｓを選択した場合（図２の●）、フレームレートは４ｆｐｓと計算される。
【００１９】
選択されたパルス幅、撮影枚数および計算されたフレームレートは、画面左下欄の撮影条件一覧３４に表示される。それとともに、総曝射時間（＝Ｎ×Ｗ）および撮影所要時間（＝Ｗ／Ｂ）が算出され、画面右下欄の関心領域一覧３５に表示される。
【００２０】
関心領域一覧３５の「アーチファクト」項目は設定された撮影枚数に応じて表示される。装置の構成に応じて良好な画像が得られる撮影枚数を決め、それに応じて表示内容が選択される。例えば、ここでは８０枚以上であれば「良好」、７９枚以下、４０枚以上は「やや不良」，、３９枚以下は「不良」と表示されるように構成される。
【００２１】
次に、管電圧、管電流、フィルタ種類の設定方法について述べる。設定のためのグラフ３３は図２の画面右上欄に表示される。まず、フィルタ種類をフィルタ選択操作ボタン３６の操作により選択する。フィルタ種類を更新すると、次に示すように管電圧、管電流と照射線量の関係が決まるので、この関係を用いてグラフを再描画する。  
照射線量(ｍＲ＠５０ｃｍ)＝撮影枚数×パルス幅×管電流×α／β２
ここで算出される照射線量は患者皮膚面の照射線量であり、焦点と皮膚の間の距離が５０ｃｍであると仮定したときの値である。αは管電圧およびフィルタ種類により決まる値で、実験または理論的に決定しておくことができる（単位はｍＲ／ｍＡｓ＠１００ｃｍ）。また、βはＸ線焦点と皮膚の間の距離であり、ここでは０．５ｍが用いられている。
【００２２】
このグラフ３３でも装置固有の選択可能な管電流および管電圧の選択肢が「○」印で示されており、各々の設定値のときの照射線量がグラフの縦軸で読むことができる、つまり管電圧と管電流との変化に対する関心条件としての照射線量の変化を直感的に理解できるため管電流および管電圧を容易に選択することができるようになっている。設定されたフィルタ種類、管電圧、管電流の値は画面左下欄の撮影条件一覧３４の該当項目に表示される。さらに、算出された照射線量の値に応じて画面右下の「照射線量」欄および「画像ノイズ」欄が表示される。「画像ノイズ」欄は照射線量が２００ｍＲ＠５０ｃｍ以上であれば「良好」、２００ｍＲ＠５０ｃｍ未満１００ｍＲ＠５０ｃｍ以上であれば「やや不良」、１００ｍＲ＠５０ｃｍ未満であれば不良と表示される。なお、解像度、画像ノイズ、アーチファクトのしきい値は任意に変更できる。左側のグラフ３２にて相対ブレ量、パルス幅、撮影枚数が更新された場合には、もちろん右側のグラフ３３は更新される。
【００２３】
本実施形態では、設定可能な撮影条件が、撮影所要時間、総曝射時間、照射線量といった操作者が関心の深いパラメータ（関心条件）との相関とともにグラフで表示されるため、グラフ上で撮影条件のある組み合わせを選択した際に関心条件がどのように変化するかを容易に把握することができるようになる。さらに、設定可能な撮影条件とそれに関わりのある関心条件が含まれるグラフと同一のグラフ上で撮影条件の組み合わせを選択することができるため、きわめて直感的に撮影条件を設定することができるようになる。さらに、グラフの描画に影響のある撮影条件や関心条件を設定すると、その値を参照してグラフが更新されるため、選択した値がどのような影響を持つかを直感的に把握することができる。具体的には左のグラフで撮影枚数とパルス幅を設定すると右側のグラフが再描画される。
【００２４】
図３には、撮影条件設定支援部２４により作成される他の設定画面を示している。図２の設定画面に代えて、図３の設定画面を採用することができる。図２の例では関心条件として例えば相対ブレ量を操作者が初期的に指定し、その相対ブレ量を指定値に固定した上で撮影条件を設定する手法に対応している。しかし、図３の例は、固定対象条件を例えば撮影枚数、相対ブレ量、撮影枚数、パルス幅、フレームレートの中からボタン３７の操作により操作者が任意に選択し、さらにその値をボタン３８の操作により操作者が任意に指定することができる。ここでは、撮影枚数を選択し、その枚数を８０に指定した場合を仮定して説明する。なお、画面右上欄のボタン４１は「フィルタ種類」を、照射線量に関わる管電流、管電圧に変更するために設けられ、ボタン４２はフィルタ種類、管電流または管電圧の値を指定するために設けられている。
【００２５】
ボタン３７の操作により例えば「撮影枚数」が選択されたとき、撮影条件設定支援部２４は、撮影枚数を８０枚に固定した上でパルス幅に対する相対ブレ量、撮影所要時間、総曝射時間各々の相関を表しているグラフ３９を作成する。縦軸と横軸は図２の例と同じであるが、グラフ３９内では相対ブレ量とパルス幅それぞれの選択肢が○印で表示されている。このグラフ３９は、  
所要時間Ｔ＝パルス幅Ｗ／相対ブレ量Ｂ  
総曝射時間＝撮影枚数Ｎ×パルス幅Ｗ  
の関係式で作成される。フレームレートは、  
フレームレートＦ＝相対ブレ量Ｂ×撮影枚数Ｎ／パルス幅Ｗ  
で算出される。
【００２６】
設定方法や設定／算出された値の表示方法は図２の例と同様である。同様に右上側のグラフ４０も、管電圧または管電流の値をグラフ外で設定するように構成できる点は上記の説明内容を理解すれば明らかである。
【００２７】
本実施形態では、操作者が任意の撮影条件を選びその値を所望値に固定するよう指定することができる。その選択した撮影条件が所望値に固定した状態でパルス幅に対する相対ブレ量、撮影所要時間、総曝射時間各々の相関を表しているグラフ３９が選択肢とともに表示されるので、撮影においてもっとも重要と思われる撮影条件を操作者が選択してその値を最初に決定し、その他の撮影条件をグラフを参照して決定することが可能になる。撮影ごとに最も重要と思われる設定項目は異なるので、その撮影にあった設定方法を選択できるようになる点は操作性の向上に大きく寄与する。
【００２８】
例えば、良好な空間分解能が必要な撮影では図２のように相対ブレ量を最初に設定するのがよく、このようにすることにより、必要な空間分解能を確保できるようにその他の撮影条件を決定することができる。また、アーチファクトの少ない画像が必要な場合には、「撮影枚数」を最初に設定する図３に示す方法が好ましく、これによりアーチファクトが小さくなる撮影枚数を保った上でその他の撮影条件を設定することが可能になる。このとき、空間分解能の悪化に目をつぶって相対ブレ量を大きくし、撮影所要時間を短くするという選択ができることが表示されたグラフから容易に知ることができる。
【００２９】
図２、図３の例では画面左上欄のグラフ３２，３９にて撮影枚数、パルス幅、フレームレートを設定し、その後、必要な画質と照射線量が得られるように管電流、管電圧、フィルタ種類を設定するという手順により撮影条件の設定を行った。この方法では、画質および被曝量をコントロールするには管電圧・管電流・フィルタを調整することになる。多くの場合この方法は有用だが、画質および被曝量を考慮して撮影枚数やパルス幅を決定したい場合も多い。例えば、画像のコントラストを強くするには低い管電圧を用いることが有利であり、必要な照射線量を得るためには管電流は装置の性能により決まる上限値を用いるという場合である。
【００３０】
図４を参照してこのような設定方法が可能になる方法をその設定画面とともに説明する。図４は撮影条件の設定画面であり、その表示項目および操作方法は図２と同様である。ただし、図２の設定画面に加えて照射線量の基準値を示す線（太線）が右側のグラフに、それに対応する総曝射時間を示す線（太線）４５が左側のグラフ４４に表示されている。
【００３１】
左側のグラフ４６には管電圧を５０ｋＶ、管電流を１６ｍＡに設定した状態を示している。基準照射線量を示す線４７は上下に移動することができそれにより値を任意に設定することができる。図４では２００ｍＲに設定されている状態を示している。このグラフ４６を見ると現在の撮影条件では照射線量は２００ｍＲを若干下回っていることを知ることができる。さらに、左側のグラフ４４では対応する総曝射時間が表示されており、撮影枚数を１６０枚に変更することで目標の照射線量を超えることがわかる。かりに、照射線量を２００ｍＲ以上に増やして画像ノイズを低減することが必要と判断した場合、撮影枚数を１６０枚、パルス幅２０ｍｓの○印を選択することでこれを実現することができる。図２の例ですでに述べたように左側のグラフ４４で撮影条件を変更すると右側のグラフ４６が再描画されるため、５０ｋＶ， １６ｍＡの点は右側のグラフで２００ｍＲを越える位置に移動する。
【００３２】
本実施形態では基準照射線量を設定しそれに対応する総曝射時間がグラフ上に表示されるため、撮影枚数パルス幅、フレームレートの選択と照射線量の関係を容易に把握することができるようになり、撮影枚数パルス幅の選択の際に照射線量を考慮できるようになる。そのため、パルス幅など管電圧、管電流以外の撮影条件を調節して目標の照射線量に近くなるようにできるという効果がある。
【００３３】
図４の例では、基準照射線量を操作者が選択するように構成されている。基準照射線量は同様の被検体を多く撮影すれば経験に基づいて決定することができるが、未経験の被検体を新たに撮影する場合など必要な画質（ノイズの程度）を得るためにどの程度の照射線量とすればよいかを操作者が用意に推察できない場合もある。
【００３４】
そのためテスト撮影を実施することにより照射線量の目安となる基準照射線量を自動的に決定する。まず、装置および被検体を設置し、パルス幅、フレームレート、管電圧、管電流を設定した後に、少なくとも１枚のＸ線画像を撮影する（テスト撮影）。次に、このように得られた画像から検出器への画像１枚あたりの平均的な入射線量を算出する。平均入射線量を計算するにはもっとも単純には全画素にわたって平均すればよいが、通常被検体が存在する中央付近の領域を決めて置き、その領域内の画素にわたって平均する方法でもよい。このように算出した画像１枚あたりの入射線量を画像１枚あたりの照射線量（グラフに表示された照射線量／撮影枚数）で除し、入射線量対照射線量比を算出する。
【００３５】
必要な画質（結像した画像に含まれるノイズの程度）は総入射線量（Ｘ線画像１枚あたりの入射線量×撮影枚数）によって左右される。標準的な画質を得るために必要な総入射線量は基準入射線量としてあらかじめ設定されている。基準照射線量は基準入射線量を入射線量対照射線量比で除して算出する。最後に、算出した基準照射線量の値に基づいて実施形態３の基準照射線量値を設定する。
【００３６】
この例ではどの程度の照射線量とすればどの程度の画質が得られるかがわからない場合であっても、Ｘ線画像を１枚テスト撮影することにより、必要な照射線量の程度を知ることができ、これに基づいて適切な撮影条件を設定できるという効果がある。
【００３７】
上述の通り、本実施形態によれば、撮影条件と操作者の関心のある量との関係をグラフにより直感的に理解して撮影条件を設定できるようになり、効率的に撮影条件を決めることが可能になる。また、設定した撮影条件の結果、照射線量や撮影所要時間などがどのようになるかがグラフ上で確認できるため、操作者の要求と異なる撮影条件を設定してしまう間違いが起こりにくくなるという効果がある。また、図３，図４の例によれば、撮影ごとに異なる要求にあわせて、適切な設定方法を選べるため、どのような要求の撮影の場合でも、撮影条件を直感的に設定することができるようになるという効果がある。
【００３８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３９】
【図１】本発明の実施形態に係るＸ線断層撮影装置の構成を示す図。
【図２】図１の表示部に表示される撮影条件設定画面の一例を示す図。
【図３】図１の表示部に表示される撮影条件設定画面の他の例を示す図。
【図４】図１の表示部に表示される撮影条件設定画面のさらに他の例を示す図。
【符号の説明】
【００４０】
１…Ｘ線管装置、２…筐体、３…Ｘ線管、４…回転機構、５…スタンド、６…位置マーカパネル、７…寝台、８…定位装置、１０…Ｘ線検出器装置、１１…Ｘ線検出器、１２…回転機構、１３…筐体、１４…スタンド、１５…高電圧発生器、１６…回転制御部、１７…回転制御部、１８…データ収集部、１９…撮影制御部、２０…システム制御部、２１…結像処理部、２２…表示部、２３…操作部、２４…撮影条件設定支援部。
【図１】
2006043144.tif 000003
【図２】
2006043144.tif 000004
【図３】
2006043144.tif 000005
【図４】
2006043144.tif 000006